(57)【要約】【課題】本発明の課題は、交通移動手段の搭乗者が自らの内部状態を、負担なく簡単に、キャビンアテンダント等の周囲の他者に伝え、他者に対して、自分が他者からの会話や干渉を受け入れる状態にあることを周囲に対して表示するシステムを提供することである。【解決手段】  座席１００１〜１００３、座席１００１に対応させた液晶表示装置１００４、座席１００２に対応させた液晶表示装置１００５、座席１００３に対応させた液晶表示装置１００６、液晶表示装置１００４の操作スイッチ１００８、液晶表示装置１００５の操作スイッチ１００９、液晶表示装置１００６の操作スイッチ１０１０から構成されるシステムを採用する。【選択図】図１
2018079778.tif 000002
【特許請求の範囲】
【請求項１】
ａ）交通移動手段の搭乗者席に対応して設けられた、該搭乗者席の搭乗者が他者からの会話を含む干渉を受け入れる内部状態にあることを示す表示手段と、
ｂ）前記搭乗者席に対応して設けられた、前記表示手段と接続した、前記表示手段の動作スイッチと、
を構成要素に含み、
前記動作スイッチを前記搭乗者が操作することにより、該搭乗者が自らの内部状態を他者に対して可視化できることを特徴とする内部状態表示システム。
【請求項２】
前記動作スイッチは、前記表示手段もしくは前記搭乗者席に設けられていることを特徴とする請求項１に記載の内部状態表示システム。
【発明の詳細な説明】
【技術分野】
【０００１】
本発明は、飛行機、鉄道、バス等の交通移動手段の搭乗者が自らの内部状態を他者に対して表示するシステムに関し、特に搭乗者が乗り物による移動時間に退屈し、他者に話しかけられたり、干渉されたりすることを望む内部状態にあることを表示する内部状態表示システムに関する。
【背景技術】
【０００２】
長時間の乗り物移動において、搭乗者が退屈し、移動時間に苦痛を感じることはよく知られている。そのような状態に対する対策として、旅客飛行機等では搭乗席に対応するモニターを設けて、現在の飛行機の位置を表示したり、映画やテレビ番組を鑑賞できるようにするなどの解決手段が提供されている。
【０００３】
しかしながら、モニター等の各種機器による搭乗者の内部状態の改善には、限界がある。キャビンアテンダントなどの人間によるケアや他の搭乗者との会話によって、退屈し苦痛を感じていた搭乗者の内部状態が改善されることはよく知られた事実である。
ここで搭乗者が乗り物移動中に退屈等している時に周囲の他者からの会話や干渉を促進することができればよいが、周囲の他者にとって搭乗者の内部状態は不明であるため、誤ったタイミングで話し掛けたり、干渉することは、その搭乗者の内部状態を逆に悪くしてしまう恐れがある。
さらに、自らの内部状態を周囲に伝えることに負担や困難を感じる搭乗者も少なくないと考えられる。
【０００４】
このような背景から、交通移動手段の搭乗者が自らの状態を負担なく、簡単に、内部状態を周囲に伝達できるシステムに対する潜在的ニーズが存在していると考えられる。
【先行技術文献】
【特許文献】
【０００５】
特許文献１では、搭乗者が何か欲しい場合に、車内販売などの具体的サービスを依頼することができるシステムが提案されている。
特許文献1のシステムでは、搭乗者が何か欲しい場合に、車内販売などの具体的サービスの担当者に依頼することができるが、具体的サービスと関連のない内部状態を周囲の他者に対して伝えるシステムではなかった。
【特許文献１】特開2002-041921号公報
【発明の概要】
【発明が解決しようとする課題】
【０００６】
本発明の課題は、交通移動手段の搭乗者が自らの内部状態を、負担なく簡単に、キャビンアテンダント等の周囲の他者に伝え、他者に対して、自分が他者からの会話や干渉を受け入れる状態にあることを周囲に対して表示するシステムを提供することである。
【課題を解決するための手段】
【０００７】
本発明の第一の観点では、
ａ）交通移動手段の搭乗者席に対応して設けられた、該搭乗者席の搭乗者が他者からの会話を含む干渉を受け入れる内部状態にあることを示す表示手段と、
ｂ）前記搭乗者席に対応して設けられた、前記表示手段と接続した、前記表示手段の動作スイッチと、
を構成要素に含み、
前記動作スイッチを前記搭乗者が操作することにより、該搭乗者が自らの内部状態を他者に対して可視化できることを特徴とする内部状態表示システム。
【０００８】
前記動作スイッチは、前記表示手段もしくは前記搭乗者席に設けられているとしてもよい。
【図面の簡単な説明】
【０００９】
【図１】図１は、本実施例の内部状態表示システムを組み込んだ搭乗者席の概観図である。
【図２】図２は、座席に対応する液晶表示装置に表示される表示画面のイメージ図である。
【図３】図３は、英語メッセージの一例を示した表示画面のイメージ図である。
【図４】図４は、液晶表示装置に操作スイッチを設置した変形例を示した概観図である。
【図５】図５は、表示装置としてLEDランプを採用した場合の構成を示した概観図である。
【発明を実施するための形態】
【００１０】
以下、本発明の具体例につき図面を用いた実施例において説明する。
ここで示す各機能構成部の動作は、予め組み込まれたファームウエア等の制御プログラムをコントロール回路のプロセッサで実行し、システムの構成要素となる各種デバイスと協働することにより実現される。また、これらのプログラムは、コンピュータで読み取り可能な記録媒体に記録され、当該プロセッサによって記録媒体から読み出され、乗客が操作すること又はシステムを構成するデバイスからの信号を受信することによって実行される。
【実施例１】
【００１１】
（全体図）
図１は、本実施例の内部状態表示システムを組み込んだ搭乗者席の概観図である。ここでは、交通移動手段の搭乗者席として旅客飛行機の座席とした場合の概観図を示しているが、本発明のシステムは、旅客飛行機の座席に限定されるものではなく、様々な交通移動手段の搭乗者席に採用されうる。
【００１２】
座席１００１〜１００３、座席１００１に対応させた液晶表示装置１００４、座席１００２に対応させた液晶表示装置１００５、座席１００３に対応させた液晶表示装置１００６、ここでは図示しないで省略した座席１００３の後ろにある座席に対応させた液晶表示装置１００７、液晶表示装置１００４の操作スイッチ１００８、液晶表示装置１００５の操作スイッチ１００９、液晶表示装置１００６の操作スイッチ１０１０という概観である。  ここでは、３つの座席を図示したが、本発明で採用されうる座席数はこれに限定されるものではない。交通移動手段の構成、乗車可能人数などに応じて適宜変更されうる。
【００１３】
各液晶表示装置１００４〜１００６は、対応する操作スイッチ１００８〜１０１０を操作することにより、予め用意した内部状態を示す画面を表示する。  ここで各液晶表示装置と対応する操作スイッチとは、有線で電気接続しており、操作スイッチに対して所定の起動動作を加えることにより、表示命令を液晶表示装置に対して送信する。  ここでは、旅客飛行機内でシステムを運用するため、有線で操作スイッチと液晶表示装置とを接続する構成が採用されたが、運用する交通移動手段の性質に応じて、無線による接続に変更されうる。
【００１４】
（システムの動作）  座席１００１の搭乗者による本システムを利用する場合の動作を説明する。他の座席の搭乗者の場合も、操作対象となる操作スイッチが変わるだけで、基本的動作は同様である。退屈等の理由により他人に話し掛けられるなど他人に干渉されたい内部状態になっている搭乗者は、座席１００１のひじ掛けに設けられた操作スイッチ１００８に対して起動動作を加える。  起動動作を加えられた操作スイッチは、液晶表示装置１００４に対して表示命令を送信する。  表示命令を受けた液晶表示装置は、予め用意した内部状態を示す表示を行う。
【００１５】
（表示の構成）
図２は、座席１００１に対応する液晶表示装置１００４に表示される表示画面のイメージ図である。表示部２００１に「話し掛けてください。」という座席１００１の搭乗者の内部状態に対応する文字メッセージ２００２の表示がされている。これにより周囲の他人は、座席１００１の搭乗者の内部状態を明示的に知ることができるので、話し掛けることが望まれていることが分かった上で、安心して話し掛けることができる。
ここでは、「話し掛け」を他人に促す日本語のメッセージであったが、本発明の表示はこれに限定されるものではなく、ニュアンスや語義のことなる英文メッセージであったり、イラストや動画など様々な態様の表示が採用されうる。
図３は、ニュアンスと語義の異なる英語メッセージの一例を示した表示画面のイメージ図である。表示部２００１に「Please disturb me.」という座席１００１の搭乗者の内部状態に対応する英文メッセージ３００１の表示がされている。
【００１６】
（操作スイッチの変形例）
ここでは、操作スイッチが座席のひじ掛けに設けられた構成を採用しているが、本発明の操作スイッチの設置はこれに限定されるものではなく、座席の他の部位に設置するなど移動手段内の搭乗者が手の届く範囲であれば適宜変更されうる。
図４は、液晶表示装置に操作スイッチを設置した変形例を示した概観図である。操作スイッチ４００１は、対応する液晶表示装置１００４の下枠部に設置されている。同様に、操作スイッチ４００２〜４００４は、対応する液晶表示装置１００５〜１００７の下枠部に設置されている。
【００１７】
（表示装置の変形例）
ここでは、表示装置として液晶表示装置を座席正面に配置した構成を採用しているが、本発明で採用可能な表示装置及び設置場所はこれに限定されるものではない。表示装置として、内部状態を示すランプの点灯、所定のパターンや色の点灯など様々な態様の表示装置が採用されうる。
また、表示装置の設置場所として、座席の構成する背もたれ、ひじ掛け、座部等が適宜採用されうる。
図５は、表示装置としてLEDランプを採用した場合の構成を示した概観図である。座席１００１に対応させたLEDランプ５００１が、座席１００１の背もたれの上部に配置されている。同様に、座席１００２、１００３に対応させたLEDランプ５００２、５００３が、座席１００２、１００３の背もたれの上部に配置されている。
【００１８】
以上のようなシステムを採用することにより、交通移動手段の搭乗者が自らの内部状態を、負担なく簡単に、キャビンアテンダント等の周囲の他者に伝え、他者に対して、自分が他者からの会話や干渉を受け入れる状態にあることを周囲に対して表示するシステムを提供することができる。
【産業上の利用可能性】
【００１９】
本発明は、飛行機、鉄道、バス等により、旅客にサービスを提供する旅客運送業において適用可能である。
【符号の説明】
【００２０】
１００１〜１００３  座席
１００４〜１００７  液晶表示装置
１００８〜１０１０  操作スイッチ
【図１】
2018079778.tif 000003
【図２】
2018079778.tif 000004
【図３】
2018079778.tif 000005
【図４】
2018079778.tif 000006
【図５】
2018079778.tif 000007